【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
その中心を通る縦軸に直交するほぼ円形の断面形状を有し、磁場を発生するのに使われ、第１、第２の開口を有する穿孔を有する細長い磁石を具備し、縦軸から磁石表面までのほぼ円形断面の径が縦軸上の中央部から前記第１、第２の開口に向かって増加していることを特徴とする磁石装置。
【請求項２】
前記磁石は回転双曲面であることを特徴とする請求項１に記載の磁石装置。
【請求項３】
前記磁石は回転放物面であることを特徴とする請求項１に記載の磁石装置。
【請求項４】
第１、第２の開口を有し、内部に被検体の配置空間を定義する穿孔を有する細長い磁石を具備し、磁石の第１、第２の開口の断面は中央部分の断面より大きいことを特徴とする磁気共鳴イメージング装置。
【請求項５】
磁石の周りに巻かれる主コイル巻線をさらに具備し、電流が巻線を流れる時に磁石内にほぼ均一の磁場が発生されることを特徴とする請求項４に記載の磁気共鳴イメージング装置。
【請求項６】
ほぼ均一の磁場は磁石の中心を通る縦軸に沿って発生されることを特徴とする請求項５に記載の磁気共鳴イメージング装置。
【請求項７】
磁石の周りに巻かれる主コイル巻線の単位長さ当たりの巻数は表面に沿って変化することを特徴とする請求項６に記載の磁気共鳴イメージング装置。
【請求項８】
磁石の中央部の主コイル巻線の巻数は磁石の一端に巻かれる主コイル巻線の数よりも少ないことを特徴とする請求項７に記載の磁気共鳴イメージング装置。
【請求項９】
前記主コイル巻線に直列に接続され、主コイル巻線が巻かれる向きと反対の向きに巻かれる第２のコイル巻線をさらに具備し、第２のコイル巻線を流れる電流は主コイル巻線を流れる電流によって磁石外に発生される主磁場を打ち消すキャンセル磁場を発生することを特徴とする請求項５に記載の磁気共鳴イメージング装置。
【請求項１０】
被検体を収納する磁気共鳴イメージング構造用の筒状磁石装置において、ほぼ筒状を有し、被検体から見た断面が両端において広がっていて、被検体の閉所恐怖感を和らげ、被検体への接触を容易にする筒状磁石装置。
【請求項１１】
被検体から見た筒状磁石の内部空間の形状はほぼ双曲面であることを特徴とする請求項１０に記載の筒状磁石装置。
【請求項１２】
長手方向に沿った縦軸を有し、第１、第２の開口を有し、内部に被検体の配置空間を定義し、撮影領域内でほぼ均一な静磁場を発生し、第１、第２の開口における被検体の配置空間の断面積は中央部の断面積より大きいほぼ筒状の磁石と、
前記筒状の磁石と連動し、撮影領域内で傾斜磁場を発生する傾斜磁場コイルと、
前記筒状の磁石により発生される静磁場と、傾斜磁場コイルにより発生される傾斜磁場を制御し、核磁気共鳴信号を処理して、撮影領域内に配置された被検体の内部構造の画像を発生する電子回路とを具備することを特徴とする磁気共鳴イメージング装置。
【請求項１３】
前記傾斜磁場コイルは筒状の磁石の内側表面に隣接して配置され、筒状磁石の被検体の配置空間の形状に沿うように調整されることを特徴とする請求項１２に記載の磁気共鳴イメージング装置。
【請求項１４】
前記筒状の磁石の被検体の配置空間の形状は双曲面であることを特徴とする請求項１３に記載の磁気共鳴イメージング装置。
【請求項１５】
前記筒状の磁石は、磁石の第１、第２の開口に向かって広がる筒状のコイル巻線サポートの周りに巻かれる主コイル巻線を具備し、主コイル巻線に電流が流れる時、ほぼ均一な磁場が撮影領域内で発生されることを特徴とする請求項１２に記載の磁気共鳴イメージング装置。
【請求項１６】
前記巻線サポートの周りに巻かれる主コイル巻線の単位長さ当たりの巻数は磁石の長手方向に沿って変化することを特徴とする請求項１５に記載の磁気共鳴イメージング装置。
【請求項１７】
前記巻線サポートの中央部に巻かれる主コイル巻線の巻数は巻線サポートの磁石開口における部分に巻かれる主コイル巻線の巻数より少ないことを特徴とする請求項１６に記載の磁気共鳴イメージング装置。
【請求項１８】
前記主コイル巻線に直列に接続され、主コイル巻線が巻かれる向きと反対の向きに巻かれる第２のコイル巻線をさらに具備し、
第２のコイル巻線を流れる電流は主コイル巻線を流れる電流によって磁石外に発生される主磁場を打ち消すキャンセル磁場を発生することを特徴とする請求項１５に記載の磁気共鳴イメージング装置。
【請求項１９】
前記筒状の磁石は、コイル縦軸に沿い、かつ縦軸を中心とし、垂直に取り付けられ電気的に接続された複数のコイルからなり、各コイルは円形リングを構成するように積層された部材に巻かれた導電性材料からなる絶縁されたストライプから構成され、円形リングは開口部で中央部よりも大きい径を有することを特徴とする請求項１２に記載の磁気共鳴イメージング装置。
【請求項２０】
前記円形リングは第１、第２の開口で中央部よりも大きい断面積を有することを特徴とする請求項１９に記載の磁気共鳴イメージング装置。
【請求項２１】
ほぼ均一の磁界が撮影領域内で縦軸に沿って発生されることを特徴とする請求項１２に記載の磁気共鳴イメージング装置。
【請求項２２】
前記筒状の磁石は中央部で発生される磁場より大きい磁場を第１、第２の開口で発生し、撮影領域内で縦軸に沿ってほぼ均一な磁場を発生することを特徴とする請求項１２に記載の磁気共鳴イメージング装置。
【手続補正２】
【補正対象書類名】明細書
【補正対象項目名】００１０
【補正方法】変更
【補正の内容】
【００１０】
本発明による磁石装置は、その中心を通る縦軸に直交するほぼ円形の断面形状を有し、磁場を発生するのに使われ、第１、第２の開口を有する穿孔を有する細長い磁石を具備し、縦軸から磁石表面までのほぼ円形断面の径が縦軸上の中央部から前記第１、第２の開口に向かって増加していることを特徴とする。
前記磁石は回転双曲面であってもよい。
前記磁石は回転放物面であってもよい。
本発明による磁気共鳴イメージング装置は、第１、第２の開口を有し、内部に被検体の配置空間を定義する穿孔を有する細長い磁石を具備し、磁石の第１、第２の開口の断面は中央部分の断面より大きいことを特徴とする。
磁石の周りに巻かれる主コイル巻線をさらに具備し、電流が巻線を流れる時に磁石内にほぼ均一の磁場が発生されてもよい。
ほぼ均一の磁場は磁石の中心を通る縦軸に沿って発生されてもよい。
磁石の周りに巻かれる主コイル巻線の単位長さ当たりの巻数は表面に沿って変化してもよい。
磁石の中央部の主コイル巻線の巻数は磁石の一端に巻かれる主コイル巻線の数よりも少なくてもよい。
前記主コイル巻線に直列に接続され、主コイル巻線が巻かれる向きと反対の向きに巻かれる第２のコイル巻線をさらに具備し、第２のコイル巻線を流れる電流は主コイル巻線を流れる電流によって磁石外に発生される主磁場を打ち消すキャンセル磁場を発生してもよい。
本発明の被検体を収納する磁気共鳴イメージング構造用の筒状磁石装置において、ほぼ筒状を有し、被検体から見た断面が両端において広がっていて、被検体の閉所恐怖感を和らげ、被検体への接触を容易にする。
被検体から見た筒状磁石の内部空間の形状はほぼ双曲面であってもよい。
本発明の磁気共鳴イメージング装置は、長手方向に沿った縦軸を有し、第１、第２の開口を有し、内部に被検体の配置空間を定義し、撮影領域内でほぼ均一な静磁場を発生し、第１、第２の開口における被検体の配置空間の断面積は中央部の断面積より大きいほぼ筒状の磁石と、
前記筒状の磁石と連動し、撮影領域内で傾斜磁場を発生する傾斜磁場コイルと、
前記筒状の磁石により発生される静磁場と、傾斜磁場コイルにより発生される傾斜磁場を制御し、核磁気共鳴信号を処理して、撮影領域内に配置された被検体の内部構造の画像を発生する電子回路とを具備する。
前記傾斜磁場コイルは筒状の磁石の内側表面に隣接して配置され、筒状磁石の被検体の配置空間の形状に沿うように調整されてもよい。
前記筒状の磁石の被検体の配置空間の形状は双曲面であってもよい。
前記筒状の磁石は、磁石の第１、第２の開口に向かって広がる筒状のコイル巻線サポートの周りに巻かれる主コイル巻線を具備し、主コイル巻線に電流が流れる時、ほぼ均一な磁場が撮影領域内で発生されてもよい。
前記巻線サポートの周りに巻かれる主コイル巻線の単位長さ当たりの巻数は磁石の長手方向に沿って変化してもよい。
前記巻線サポートの中央部に巻かれる主コイル巻線の巻数は巻線サポートの磁石開口における部分に巻かれる主コイル巻線の巻数より少なくてもよい。
前記主コイル巻線に直列に接続され、主コイル巻線が巻かれる向きと反対の向きに巻かれる第２のコイル巻線をさらに具備し、
第２のコイル巻線を流れる電流は主コイル巻線を流れる電流によって磁石外に発生される主磁場を打ち消すキャンセル磁場を発生してもよい。
前記筒状の磁石は、コイル縦軸に沿い、かつ縦軸を中心とし、垂直に取り付けられ電気的に接続された複数のコイルからなり、各コイルは円形リングを構成するように積層された部材に巻かれた導電性材料からなる絶縁されたストライプから構成され、円形リングは開口部で中央部よりも大きい径を有してもよい。
前記円形リングは第１、第２の開口で中央部よりも大きい断面積を有してもよい。
ほぼ均一の磁界が撮影領域内で縦軸に沿って発生されてもよい。
前記筒状の磁石は中央部で発生される磁場より大きい磁場を第１、第２の開口で発生し、撮影領域内で縦軸に沿ってほぼ均一な磁場を発生してもよい。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】